(57)【要約】　　　（修正有）【課題】ジャッキの昇降装置の重量物を支持する支持ヘッドの高さが調整できるジャッキの昇降装置を提供する。【解決手段】複数の突起を一体に形成してなる支持面と、その中央に垂直溝を有し、かつ前端面から該垂直溝に水平方向の貫通孔を形成し、該貫通孔に弾性ピン２を設けてなる昇降運動を行うヘッド取り付け座１と、中心の位置に、内壁に段差を形成してなる貫通孔４１を穿設し、かつ該ヘッド取り付け座上に着脱自在に載置する支持ヘッド４と、上端面が円周に沿って鍔状に迫り出し、断面が略Ｔ字状を呈するように形成するとともに、底端縁部に近い位置には、円周に沿って凹溝を環状に形成してなり、該ヘッド取り付け座上に載置した該支持ヘッドの貫通孔に着脱自在に挿入する支持柱体３とによって構成する。【選択図】　図２
0003098220.tif 000002
【実用新案登録請求の範囲】
【請求項１】
複数の突起を一体に形成してなる支持面と、支持面の中央の位置から垂直方向に形成する垂直溝とを有し、かつ前端面から該垂直溝に貫通する水平方向の貫通孔を形成し、該貫通孔に弾性ピンを設けてなり、ジャッキの作動時に昇降運動を行うヘッド取り付け座と、
中心の位置に、内壁に段差を形成してなる貫通孔を穿設し、かつ該ヘッド取り付け座上に着脱自在に載置する支持ヘッドと、
上端面が円周に沿って鍔状に迫り出し、断面が略Ｔ字状を呈するように形成するとともに、底端縁部に近い位置には、円周に沿って凹溝を環状に形成してなり、該ヘッド取り付け座上に載置した該支持ヘッドの貫通孔に着脱自在に挿入する支持柱体とを含んでなることを特徴とするジャッキの昇降装置。
【考案の詳細な説明】
【０００１】
【考案の属する技術分野】
この考案はジャッキに関し、特にジャッキで持ち上げる重量物を支持して昇降するジャッキの昇降装置に関する。
【０００２】
【従来の技術】
ジャッキは、重量物を持ち上げるための器具であって、特に油圧式ジャッキの利用範囲は広く、シリンダの押圧によって支持柱体と、該支持柱体の上端に連結された支持ヘッドに重量物を持ち上げる力を与える。即ち、支持ヘッドは油圧力を提供されることによって重量物を持ち上げる効果を達成する。よって、支持ヘッドと重量物との距離がジャッキによる重量物持ち上げの空ストロークとなり、該空ストロークが増大するに従って時間の浪費となり、かつ必要とする油圧力も大きくなる。
【０００３】
また、ジャッキの使用前の状態において、支持ヘッドの高さが持ち上げる重量物の底面より高い場合、ジャッキを使用することができない。一般に従来のジャッキは、図１に開示するように平坦なヘッド取り付け座に溶接、もしくはリベットなどを用いて支持ヘッドを連結する。
支持ヘッドには、爪状の凹凸部が形成され、持ち上げる重量物との間に安定した摩擦力と、支持力を提供する効果を達する。但し、従来のジャッキは、次に掲げる欠点を有する。
１、従来のジャッキの支持ヘッドは、ヘッド取り付け座との距離が固定されていて、変更することができない。支持ヘッドと、持ち上げる重量物の底面との距離も固定的である。よって、重量物の底面との距離が長ければ長いほど空ストロークも長くなり、使用者はその分だけ力と時間を使い、重量物を持ち上げることになる。
２、従来のジャッキにおいて、支持ヘッドはヘッド取り付け座に固定され、ヘッド取り付け座は上面が平坦に形成される。重量物を持ち上げる場合、支持ヘッドで重量物を支持して持ち上げる。よって、重量物の底面の高さがヘッド取り付け座を超える高さであって、支持ヘッドの高さに至らない場合、ジャッキを使用することはできない。すなわち、重量物の底面から持ち上げることができない。
【０００４】
【考案が解決しようとする課題】
この考案は、ジャッキの昇降装置の重量物を支持する支持ヘッドの高さが調整でき、支持ヘッドが重量物に接触するまでのストロークを短縮するとともに、重量物と地面の高さの関係において、ジャッキの使用できる操作範囲を広げることのできるジャッキの昇降装置を提供することを課題とする。
【０００５】
【課題を解決するための手段】
そこで、本考案者は従来の技術に見られる欠点に鑑み鋭意研究を重ねた結果、ジャッキの作動時に昇降運動を行うヘッド取り付け座と、内壁に段差を形成してなる貫通孔を穿設し、かつ該ヘッド取り付け座上に着脱自在に載置する支持ヘッドと、該ヘッド取り付け座上に載置した該支持ヘッドの貫通孔に着脱自在に挿入する支持柱体とによってなるジャッキの昇降装置の構造によって課題を解決できる点に着眼し、かかる知見に基づいて本考案を完成させた。
【０００６】
以下、この考案について具体的に説明する。
請求項１に記載するジャッキの昇降装置は、複数の突起を一体に形成してなる支持面と、支持面の中央の位置から垂直方向に形成する垂直溝とを有し、かつ前端面から該垂直溝に貫通する水平方向の貫通孔を形成し、該貫通孔に弾性ピンを設けてなり、ジャッキの作動時に昇降運動を行うヘッド取り付け座と、
中心の位置に、内壁に段差を形成してなる貫通孔を穿設し、かつ該ヘッド取り付け座上に着脱自在に載置する支持ヘッドと、
上端面が円周に沿って鍔状に迫り出し、断面が略Ｔ字状を呈するように形成するとともに、底端縁部に近い位置には、円周に沿って凹溝を環状に形成してなり、該ヘッド取り付け座上に載置した該支持ヘッドの貫通孔に着脱自在に挿入する支持柱体とを含んでなる。
【０００７】
【考案の実施の形態】
この考案は、特にジャッキで持ち上げる重量物を支持して昇降するジャッキの昇降装置を提供するものであって、ジャッキの作動時に昇降運動を行うヘッド取り付け座と、内壁に段差を形成してなる貫通孔を穿設し、かつ該ヘッド取り付け座上に着脱自在に載置する支持ヘッドと、該ヘッド取り付け座上に載置した該支持ヘッドの貫通孔に着脱自在に挿入する支持柱体とによって構成される。
かかるジャッキの昇降装置の構造と特徴を詳述するために、具体的な実施例を挙げ、図示を参照にして以下に説明する。
【０００８】
【実施例】
この考案によるジャッキ（１０）は、図２に開示するように、ヘッド取り付け座（１）と、支持柱体（３）と、支持ヘッド（４）とによって構成され、持ち上げる重量物を支持して上下運動を行う昇降装置を具えてなる。ヘッド取り付け座（１）は、複数の突起を一体に形成してなる支持面（１１）と、該支持面（１１）の中央の位置から垂直方向に形成する垂直溝（１２）とを有し、かつ前端面から該垂直溝（１２）に貫通する水平方向の貫通孔を形成して、弾性ピン（２）を設ける。
【０００９】
支持柱体（３）は、上端面が円周に沿って鍔状に迫り出し、断面が略Ｔ字状を呈する。また、底端縁部に近い位置には、円周に沿って凹溝（３１）を環状に形成する。支持柱体（３）は、図４に開示するように、底端から垂直溝（１２）に挿入し、挿入した状態において、弾性ピン（２）の一端が凹溝（３１）内に当接する。
【００１０】
支持ヘッド（４）は、中心の位置に貫通孔（４１）を穿設する。該貫通孔（４１）は、内壁に段差をつけてなる。貫通孔（４１）の直径は、支持柱体（３）の鍔部が緩挿される程度にする。
【００１１】
図３、４に開示するように、上述のそれぞれの部材を組み立てた場合、ヘッド取り付け座（１）は、支持面（１１）によって持ち上げる重量物の底面を直接支持して持ち上げてもよく、また、支持ヘッド（４）をヘッド取り付け座（１）上に着脱自在に載置し、支持柱体（３）を支持ヘッド（４）の貫通孔（４１）からヘッド取り付け座（１）の垂直溝（１２）に着脱自在に挿入し、弾性ピン（２）の端縁部を支持柱体（３）の凹溝（３１）内に圧接させて位置決めし、支持ヘッド（４）によって重量物の底面を支持して持ち上げてもよい。
【００１２】
すなわち、この考案によるジャッキ（１０）は、持ち上げる重量物の底面の高さが、ヘッド取り付け座（１）より高く、但し、支持ヘッド（４）の高さに至らない場合は、図５に開示するように、弾性ピン（２）を引っぱり、弾性ピン（２）による位置決めを開放して支持ヘッド（４）を取り外した状態で、ヘッド取り付け座（１）によって直接重量物の底面を持ち上げることができる。
【００１３】
また、図６に開示するように、持ち上げる重量物の底面と、ヘッド取り付け座（１）との間にある程度の距離がある場合は、支持ヘッド（４）をヘッド取り付け座（１）上に載置し、支持柱体（３）を支持ヘッド（４）の貫通孔（４１）からヘッド取り付け座（１）の垂直溝（１２）に挿入し、弾性ピン（２）で位置決めして重量物の底面を支持する。
【００１４】
支持ヘッド（４）を取り付けない場合、支持柱体（３）はヘッド取り付け座（１）の垂直溝（１２）内に収納して、弾性ピン（２）によって位置決めしておくことができる。
【００１５】
上述のとおり、この考案による昇降装置を設けたジャッキ（１０）は、支持ヘッド（４）を設けることによって、支持ヘッド（４）の高さだけ空ストロークが短縮する。よって、使用者がジャッキ（１０）を操作する力と時間を節減することができる。また、ジャッキ（１０）が重量物を持ち上げる場合の最大ストロークを延長することができ、高低両方向に操作の適用範囲を広げることができる。よって、図７に開示するように、重量物の底面が低すぎてジャッキを使用できない状況の発生が減少する。
【００１６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００１７】
【考案の効果】
この考案によるジャッキの昇降装置は、重量物を支持する支持ヘッドの高さが調整でき、支持ヘッドが重量物に接触するまでのストロークを短縮するとともに、重量物と地面の高さの関係において、ジャッキの使用できる操作範囲を広げることのできる。よって、ジャッキ使用時において、重量物を持ち上げる作業の時間と力を節減する効果を具え、かつ実用的である。
【図面の簡単な説明】
【図１】従来のジャッキの一部を表わす斜視図である。
【図２】この考案によるジャッキの昇降装置の分解図である。
【図３】図２に開示するジャッキの昇降装置の斜視図である。
【図４】図２に開示するジャッキの昇降装置の組み立て方法を表わす説明図である。
【図５】この考案による昇降装置を具えるジャッキの使用態様を表わす説明図である。
【図６】この考案による昇降装置を具えるジャッキの他の使用態様を表わす説明図である。
【図７】従来の昇降装置を具えるジャッキを使用することができない例を表わす説明図である。
【符号の説明】
１　　　　　　ヘッド取り付け座
１０　　　　　ジャッキ
１１　　　　　支持面
１２　　　　　垂直溝
２　　　　　　弾性ピン
３　　　　　　支持柱体
３１　　　　　凹溝
４　　　　　　支持ヘッド
４１　　　　　貫通孔
【図１】
0003098220.tif 000003
【図２】
0003098220.tif 000004
【図３】
0003098220.tif 000005
【図４】
0003098220.tif 000006
【図５】
0003098220.tif 000007
【図６】
0003098220.tif 000008
【図７】
0003098220.tif 000009